(57)【要約】【課題】本発明は、マスコットを人間の上半身と類似の型に構成し、マスコット自体に自ら願いや望みを書き込むことができるストラップ付マスコットを提供するものである。【解決手段】胴部Ａ１と両方の袖部Ａ２とからなるストラップ付マスコットＭにあって、当該マスコットＭは内蔵物Ａ及びこれを覆う外皮物Ｂとからなり、外皮物Ｂの表面には所望の装飾２がなされると共に、内蔵物Ａを納める収納部位３と、ストラップ７の通過部位を備え、内蔵物Ａには前記ストラップ通過部位とほぼ合致させたストラップ７を備えると共に、筆記具にて書き込み可能な表面スぺ−スを設けたストラップ付マスコット。【選択図】図２
2009273649.tif 000002
【特許請求の範囲】
【請求項１】
胴部と両方の袖部とからなるストラップ付マスコットにあって、当該マスコットは内蔵物Ａ及びこれを覆う外皮物Ｂとからなり、外皮物Ｂの表面には所望の装飾がなされると共に、内蔵物Ａを納める収納部位と、ストラップの通過部位を備え、内蔵物Ａには前記ストラップ通過部位とほぼ合致させたストラップを備えると共に、筆記具にて書き込み可能な表面スぺ−スを設けたことを特徴とするストラップ付マスコット。
【請求項２】
外皮物Ｂは、各種繊維素材で構成された請求項１記載のストラップ付マスコット。
【請求項３】
外皮物Ｂは、織物、編物、合皮材、樹脂材で構成された請求項１又は２記載のストラップ付マスコット。
【請求項４】
内蔵物Ａは、クッション性を有する素材で構成された請求項１記載のストラップ付マスコット。
【請求項５】
内蔵物Ａの表面が、織物、編物、合皮材、樹脂材で構成された請求項４記載のストラップ付マスコット。
【請求項６】
内蔵物Ａ内に、綿、ウレタンフォ−ムが充填された請求項４又は５記載のストラップ付マスコット。
【請求項７】
外皮物Ｂの内蔵物Ａを納める収納部位は、自然状態で内蔵物Ａよりやや大きく形成されており、収納部位内に内蔵された内蔵物Ａが、接触により動きが静止される請求項１乃至６いずれか１記載のストラップ付マスコット。
【発明の詳細な説明】
【技術分野】
【０００１】
本発明は、ストラップ付の装身具、例えば、キ−ホルダ−、野球やサッカ−チ−ムのユニフォ−ムを模した装身具（以下、問題がない限り単に「ストラップ付マスコット」という）に関するものであり、さらに詳しくは、サインや寄せ書きが可能なストラップ付マスコットに係るものである。
【背景技術】
【０００２】
以下、本発明のストラップ付マスコットとして、野球のユニフォ−ムの装身具を代表して説明する。近年、プロ野球チ−ムが地域密着型となり、たとえば、日本ハムが東京から札幌へ移転し、北海道民に広く親しまれ、その応援も一段と華やかになっている。野球場へ来る観衆や、一般のファンは、夫々のひいきの選手のマスコットを身に付けたり、かばんやバッグに付けたりして応援している。
【０００３】
図１は、そのストラップ付マスコットの一例であり、日本ハムのダルビッシュ投手を示す背番号１１を付けたユニフォ−ムのストラップ付マスコットＭａであり、これをストラップ７を介して図示しないかばんやバッグなどに付けている。
【０００４】
また、野球、駅伝、バレ−ボ−ル、バスケットボ−ルなどのチ−ムが、夫々同じマスコットをチ−ム全員の意志を込めて身に付けてプレ−していることも良く見かける。
【０００５】
しかしながら、これらのマスコットは店で買ったり、神社でお払いを受けたものをそのまま身に付けるというものであり、購買した者の願いや望みを直接現すものではなく、また、チ−ム全体としての統一した気持ちやチ−ムカラ−を表に現したものではない。
【発明の開示】
【発明が解決しようとする課題】
【０００６】
本発明は、マスコットを人間の上半身と類似の型に構成し、マスコット自体に自ら願いや望みを書き込むことができるストラップ付マスコットを提供するものである。
【課題を解決するための手段】
【０００７】
本発明の要旨は、胴部と両方の袖部とからなるストラップ付マスコットにあって、当該マスコットは内蔵物Ａ及びこれを覆う外皮物Ｂとからなり、外皮物Ｂの表面には所望の装飾がなされると共に、内蔵物Ａを納める収納部位と、ストラップの通過部位を備え、内蔵物Ａには前記ストラップ通過部位とほぼ合致させたストラップを備えると共に、筆記具にて書き込み可能な表面スぺ−スを設けたことを特徴とするストラップ付マスコットに係るものである。
【発明の効果】
【０００８】
本発明は、ストラップ付マスコットであり、内蔵物Ａの表面にサインや寄せ書きが可能なストラップ付マスコットを提供できたものであり、マスコット自体に自ら願いや望みを書き込むことができるようにしたものである。
【発明を実施するための最良の形態】
【０００９】
本発明のストラップ付マスコットは、胴部と両方の袖部とからなるストラップ付の人型のマスコットである。即ち、マスコット全体構造として人間の胴部と袖部とからなり、外皮物Ｂと内蔵物Ａとは共にほぼ類似形の人型であり、外皮物Ｂの収納部位も又人型をなしている。そして、外皮物Ｂと内蔵物Ａとは、基本的にはクッション性を有する素材で構成されている。さらに、外皮物Ｂは、表面に所望の装飾がなされると共に、内蔵物Ａを納める収納部位と、ストラップの通過部位を備えるものである。一方、内蔵物Ａには、外皮物Ｂにおけるストラップ通過部位とをほぼ合致させた位置にストラップを備えると共に、筆記具にて書き込み可能な表面スぺ−スを設けたものである。
【００１０】
外皮物Ｂの素材としては、ポリエステルを代表とする各種繊維の織物や編み物、樹脂材、合皮材などが採用可能であるが、クッション性を有する素材で構成されるのがよい。そして、表面には、野球やサッカ−などスポ−ツのユニフォ−ムの柄や学生服の柄などをプリントしておくものである。
【００１１】
内蔵物Ａの表面は文字が書ける素材で構成され、例えば、少なくとも内蔵物Ａの表面がポリエステル繊維を代表とする各種繊維の織物、編物、合皮材、樹脂材などで構成されたものである。勿論、サインペンなどでメッセ−ジなどの書き込みができるように、にじみの少ない生地や表面などを処理した素材が好ましいことは言うまでもない。そして、内蔵物Ａは、樹脂材よりなる平板状のプレ−トでもよいが、できれば柔らかでふっくら感がある厚みのある構造のものがよく、このため、内部に綿やウレタンフォ−ムなどが充填されたものが好ましい。勿論、（発泡）樹脂によるモ−ルド成形品であってもよい。
【００１２】
そして、外皮物Ｂにおける内蔵物Ａの収納部位と内蔵物Ａとの関係は、収納された際に内蔵物Ａが両者の接触により動きを阻止する構造とするのが好ましく、収納部位は、内蔵物Ａとほぼ同等か若干大きく形成するのがよい。
【００１３】
外皮物Ｂは裾部を縫い合わせて内蔵物Ａを綴じ込んでしまうこともできる。また、裾部位の開放だけでなく、ス−ツ状に前開きも可能であり、その際、ぼたん掛け、鉤付きテ−プ、紐、ベルトなどで内蔵物Ａを収納することもできる。
【００１４】
内蔵物Ａにストラップを取り付けることとなるが、ストラップを内蔵物Ａに直接取り付けることも可能であるが、好ましくは、内蔵物Ａの所定位置に丸カンを取り付け、これにストラップを装着するのが好ましい。
【実施例】
【００１５】
図２は本発明のマスコットＭの第１例を示す例である。即ち、野球のユニフォ−ムを形取ったマスコットＭの正面図、図３は内蔵物Ａを取り出した図である。外皮物Ｂは人型の胴部Ｂ１及び袖部Ｂ２よりなっており、クッション性のある素材１で構成され、その表面には所望の装飾２がなされている。具体的には、使用された素材１はポリエステル繊維よりなる織物であり、表面にチ−ム名・背番号（ニッポンハム・１１）などの装飾２がなされている。外皮物Ｂにはその下部端から内蔵物Ａの収納部位３が形成され、上側の中央部（首部）４にはストラップ用の穴５が鳩目にて形成されたものである。尚、この穴５は縫製にて形成されたボタンホ−ル状のものであってもよいことは勿論である。
【００１６】
内蔵物Ａも又胴部Ａ１及び袖部Ａ２よりなり、内部に綿８を内蔵したものであり、その素材６はポリエステル製の織物である。これは油性又は水性の筆記具で表面にサインなどが記載できる素材である。又、前記したストラップ用の穴４に対向する位置に丸カン７ａが備えられ、これに合成樹脂製の繊維からなるストラップ７が装着されている。勿論、内蔵物Ａのストラップ７は、外皮物Ｂのストラップ用穴５に内側より通されて一体化されてマスコットＭが完成する。
【００１７】
外皮物Ｂ内の内蔵物Ａがずれないこと、内蔵物Ａがピタッと入ること、クッション性があること、柔らかいこと、が重要な点である。このため、外皮物Ｂの収納部位３と内蔵物Ａは、ほぼ同じ大きさ、あるいは内蔵物Ａがやや小さい（１〜０．６程度）ものであり、外皮物Ｂの収納部位３の人型の肩幅ａ、裾幅ｂ、裾長さｃ、袖丈ｄ、ｅ、内蔵物Ａの厚みｔとすれば、以下の関係が好ましい。
【００１８】
即ち、ａ〜ｃの関係は、ｂ＝（０．２５〜０．９）×ａの関係をもって内蔵物Ａを収納するもので、ｃ＝（０．２５〜２）×ａの関係が望ましく、ｄとｅはほぼ均等であるのがよい。また、厚さ・ｔ＝（０．０５〜５０）×ａの関係が望ましい。
【００１９】
さて、本発明のマスコットＭによれば、内蔵物Ａの表面にチ−ム全員の寄せ書きが可能となり、個人的には、目標や信念を書き込んで精神的な統一を図ることができるものである。更に、選手にサインをもらう際にも、内蔵物Ａの表面にサインペンなどで書き込んでもらうことも可能であり、これを外皮物Ｂにて覆うことにより大切に保管することができることになる。
【００２０】
この例にあって、ストラップ用の穴５の形成は特に限定はなく、上記した鳩目は勿論、縫製によって穴５を形成することができることは言うまでもない。
【００２１】
ストラップ用の穴４の位置も特に限定されるものではなく、図示する４ａの部位でもよいことは勿論である。
【００２２】
この例ではストラップ７を合成樹脂製の繊維からなるものとして説明したが、これに限定されるものではなく、例えば、金属製のワイヤ−であっても、チェ−ン状のものであってもよいことは勿論である。
【産業上の利用可能性】
【００２３】
本発明は以上の構成を備えたマスコットであり、ストラップ付の装身具、キ−ホルダ−、携帯用のストラップ、かばんやバッグに付ける飾り、クッション体等に広く利用可能である。
【図面の簡単な説明】
【００２４】
【図１】図１は従来のマスコットの一例を示す正面図である。
【図２】図２は本発明のマスコットＭを示す正面図である。
【図３】図３は図２のマスコットＭの内蔵物である。
【符号の説明】
【００２５】
Ａ  内蔵物、
Ａ１  内蔵物の胴部、
Ａ２  内蔵物の袖部、
Ｂ  外皮物、
Ｂ１  外皮物の胴部、
Ｂ２  外皮物の袖部、
Ｍ  マスコット、
１  外皮物Ｂの素材、
２  外皮物Ｂに施した装飾、
３  外皮物Ｂに形成した内蔵物Ａの収納部位、
４、４ａ  ストラップ穴の位置、
５  ストラップ用穴、
６  内蔵物Ａの素材、
７  ストラップ、
７ａ  丸カン、
８  綿。
【図１】
2009273649.tif 000003
【図２】
2009273649.tif 000004
【図３】
2009273649.tif 000005